【手続補正書】
【提出日】平成22年4月16日(2010.4.16)
【手続補正１】
【補正対象書類名】特許請求の範囲
【補正対象項目名】全文
【補正方法】変更
【補正の内容】
【特許請求の範囲】
【請求項１】
ユーザの生体データを測定によって取得する測定端末および測定された前記生体データを収集するための利用者端末に装着可能な利用者端末用アダプタと、前記測定端末に装着可能な測定端末用アダプタと、前記利用者端末用アダプタと通信するサーバ装置とを備える遠隔医療システムであって、
前記利用者端末用アダプタは、
前記利用者端末に装着されたとき、生体データを暗号化するのに用いるサービス鍵を前記サーバ装置から受信して格納する一時情報保持部と、
前記一時情報保持部に前記サービス鍵を格納した状態で前記測定端末に装着されたとき、前記測定端末から前記測定端末の測定端末識別子を取得し、取得した前記測定端末識別子に基づいて共有鍵を生成する第１共有鍵生成部と、
前記利用者端末に装着されたとき、前記共有鍵を用いて前記サービス鍵を暗号化し、暗号化した前記サービス鍵を前記一時情報保持部に格納するサービス鍵配布処理部と、
前記測定端末に装着されている測定端末用アダプタに前記暗号化したサービス鍵を送信するサービス鍵配布処理部とを備え、
前記測定端末用アダプタは、
前記測定端末に装着されたとき、前記測定端末識別子を取得し、取得した前記測定端末識別子に基づいて共有鍵を生成する第２共有鍵生成部と、
前記利用者端末用アダプタから前記暗号化されたサービス鍵を受信したとき、前記第２共有鍵生成部で生成した前記共有鍵を用いて前記暗号化されたサービス鍵を復号化し、前記復号化したサービス鍵を用いて、前記測定端末が測定した前記ユーザの生体データを暗号化し、前記利用者端末用アダプタを介して暗号化した当該生体データを前記サーバ装置に送信する測定データ送信処理部とを備える
ことを特徴とする遠隔医療システム。
【請求項２】
前記第１共有鍵生成部は、前記サービス鍵配布処理部が前記共有鍵を用いて暗号化した前記サービス鍵を前記測定端末用アダプタに送信した後、前記一時情報保持部から前記共有鍵および前記サービス鍵を消去する
ことを特徴とする請求項１記載の遠隔医療システム。
【請求項３】
前記第２共有鍵生成部は、前記測定データ送信処理部が前記第２共有鍵生成部で生成した前記共有鍵を用いて前記暗号化されたサービス鍵を復号化した後、当該共有鍵を消去する
ことを特徴とする請求項２記載の遠隔医療システム。
【請求項４】
前記第１共有鍵生成部は、前記測定端末の前記測定端末識別子に基づいて所定の計算方法を用いて共有鍵を生成し、
前記第２共有鍵生成部は、前記測定端末の前記測定端末識別子に基づいて前記所定の計算方法を用いて共有鍵を生成する
ことを特徴とする請求項３記載の遠隔医療システム。
【請求項５】
前記第１共有鍵生成部および前記第２共有鍵生成部は、前記所定の計算方法として、暗号アルゴリズムを用いて共有鍵を生成する
ことを特徴とする請求項４記載の遠隔医療システム。
【請求項６】
前記第１共有鍵生成部および前記第２共有鍵生成部は、前記所定の計算方法として、ハッシュ関数を用いて共有鍵を生成する
ことを特徴とする請求項４記載の遠隔医療システム。
【請求項７】
前記利用者端末用アダプタおよび前記測定端末用アダプタは、メモリカードまたはＵＳＢ機器である
ことを特徴とする請求項６記載の遠隔医療システム。
【請求項８】
ユーザの生体データを測定することによって取得する測定端末および測定された前記生体データを収集するための利用者端末に装着可能な利用者端末用アダプタと、前記測定端末に装着可能な測定端末用アダプタと、前記利用者端末用アダプタと通信するサーバ装置とを備える遠隔医療システムの前記利用者端末用アダプタであって、
前記利用者端末に装着されたとき、生体データを暗号化するのに用いるサービス鍵を前記サーバ装置から受信して保持する一時情報保持部と、
前記一時情報保持部に前記サービス鍵を保持した状態で、かつ、前記測定端末に装着されたときに、前記測定端末から前記測定端末の測定端末識別子を取得し、取得した測定端末識別子に基づいて共有鍵を生成する共有鍵生成部と、
前記利用者端末に装着されたとき、前記共有鍵を用いて前記サービス鍵を暗号化し、前記一時情報保持部に保持するサービス鍵配布処理部と、
前記測定端末に装着されている測定端末用アダプタに前記暗号化されたサービス鍵を送信する通信部とを備える
ことを特徴とする利用者端末用アダプタ。
【請求項９】
ユーザの生体データを測定することによって取得する測定端末および測定された前記生体データを収集するための利用者端末に装着可能な利用者端末用アダプタと、前記測定端末に装着可能な測定端末用アダプタと、前記利用者端末用アダプタと通信するサーバ装置とを備える遠隔医療システムの前記測定端末用アダプタであって、
前記測定端末に装着されたとき、前記測定端末識別子を取得し、取得した前記測定端末識別子に基づいて共有鍵を生成する第２共有鍵生成部と、
前記利用者端末用アダプタから前記暗号化されたサービス鍵を受信したとき、前記第２共有鍵生成部で生成した前記共有鍵を用いて前記暗号化されたサービス鍵を復号化し、前記復号化したサービス鍵を用いて、前記測定端末が測定した前記ユーザの生体データを暗号化し、前記利用者端末用アダプタを介して暗号化した当該生体データを前記サーバ装置に送信する測定データ送信処理部とを備える
ことを特徴とする測定端末用アダプタ。
【請求項１０】
ユーザの生体データを測定によって取得する測定端末および測定された前記生体データを収集するための利用者端末に装着可能な利用者端末用アダプタと、前記測定端末に装着可能な測定端末用アダプタと、前記利用者端末用アダプタと通信するサーバ装置とを備える遠隔医療システムのサービス鍵送信方法であって、
前記利用者端末用アダプタが前記利用者端末に装着されたとき、前記利用者端末用アダプタに、前記サーバ装置から生体データを暗号化するのに用いるサービス鍵を受信させて保持させる一時情報保持ステップと、
前記一時情報保持ステップで前記利用者端末用アダプタが前記サービス鍵を保持した状態で前記利用者端末用アダプタが前記測定端末に装着されたときに、前記利用者端末用アダプタに、前記測定端末から前記測定端末の測定端末識別子を取得させ、取得した前記測定端末識別子に基づいて共有鍵を生成させる第１共有鍵生成ステップと、
前記利用者端末用アダプタが前記利用者端末に装着されたとき、前記利用者端末用アダプタに、前記共有鍵を用いて前記サービス鍵を暗号化させて保持させるサービス鍵配布処理ステップと、
前記利用者端末用アダプタに、前記測定端末に装着されている測定端末用アダプタに対して前記暗号化されたサービス鍵を送信させるサービス鍵配布処理ステップと、
前記測定端末用アダプタが前記測定端末に装着されたとき、前記測定端末用アダプタに、前記測定端末識別子を取得させ、取得させた前記測定端末識別子に基づいて共有鍵を生成させる第２共有鍵生成ステップと、
前記測定端末用アダプタが前記利用者端末用アダプタから前記暗号化されたサービス鍵を受信したとき、前記測定端末用アダプタに、前記第２共有鍵生成ステップで生成した前記共有鍵を用いて前記暗号化されたサービス鍵を復号化させる測定データ送信処理ステップとを含み、
測定データ送信処理において、前記測定端末用アダプタに、前記測定データ送信処理ステップで復号化させたサービス鍵を用いて前記測定端末が測定した前記ユーザの生体データを暗号化させ、前記利用者端末用アダプタを介して、暗号化した当該生体データを前記サーバ装置に送信させる
ことを特徴とする遠隔医療システムのサービス鍵送信方法。
【請求項１１】
ユーザの生体データを測定によって取得する測定端末および測定された前記生体データを収集するための利用者端末に装着可能な利用者端末用アダプタと、前記測定端末に装着可能な測定端末用アダプタと、前記利用者端末用アダプタと通信するサーバ装置とを備える遠隔医療システムのサービス鍵送信プログラムであって、
前記利用者端末用アダプタが前記利用者端末に装着されたとき、前記利用者端末用アダプタに、前記サーバ装置から生体データを暗号化するのに用いるサービス鍵を受信させて保持させる鍵保持ステップと、
前記鍵保持ステップで前記利用者端末用アダプタが前記サービス鍵を保持した状態で前記利用者端末用アダプタが前記測定端末に装着されたときに、前記利用者端末用アダプタに、前記測定端末から前記測定端末の測定端末識別子を取得させ、取得した測定端末識別子に基づいて共有鍵を生成させる第１共有鍵生成ステップと、
前記利用者端末用アダプタが前記利用者端末に装着されたとき、前記利用者端末用アダプタに、前記共有鍵を用いて前記サービス鍵を暗号化させて保持させる鍵暗号化ステップと、
前記利用者端末用アダプタに、前記測定端末に装着されている測定端末用アダプタに対して前記暗号化されたサービス鍵を送信させる第１通信ステップと、
前記測定端末用アダプタが前記測定端末に装着されたとき、前記測定端末用アダプタに、前記測定端末識別子を取得させ、取得させた前記測定端末識別子に基づいて共有鍵を生成させる第２共有鍵生成ステップと、
前記測定端末用アダプタが前記利用者端末用アダプタから前記暗号化されたサービス鍵を受信したとき、前記測定端末用アダプタに、前記第２共有鍵生成ステップで生成した前記共有鍵を用いて前記暗号化されたサービス鍵を復号化させる鍵復号化ステップと、
前記測定端末用アダプタに、前記鍵復号化ステップで復号化させたサービス鍵を用いて前記測定端末が測定した前記ユーザの生体データを暗号化させ、前記利用者端末用アダプタを介して、暗号化した当該生体データを前記サーバ装置に送信させる第２通信ステップとをコンピュータに実行させる
ことを特徴とする遠隔医療システムのサービス鍵送信プログラム。